(57)【要約】【課題】この発明は、電子番組表で録画予約を行いたい番組を選択した際に、すでに登録されている録画予約との重複関係を事前に一覧表示することができ、予約の重複による録画失敗を未然に防ぐことが可能になる。【解決手段】  この発明は、電子番組表で録画予約を行いたい番組を選択した際に、すでに登録されている録画予約との重複関係を事前に一覧表示するようにしたものである。【選択図】    図１
2005142761.tif 000002
【特許請求の範囲】
【請求項１】
放送を受信する放送受信手段と、
この放送受信手段で受信されるかあるいは通信回線を介して供給される番組ごとの番組情報から今後放送される番組に対する番組表を作成し表示する処理手段と、
この処理手段により表示されている番組表から録画する番組を選択する選択手段と、
この選択手段により選択された番組の番組情報を録画予約情報として第１の記録媒体に記録する記録手段と、
この記録手段に記録された録画予約情報に基づく番組が上記放送受信手段で受信された際に、この番組の放送内容を第２の記録媒体に記録する録画手段と、
上記選択手段により選択された番組と重複する上記第１の記録媒体に記録されている予約済みの番組を検索し、選択された番組と重複する予約済みの番組との一覧表を表示する表示手段と、
を具備したことを特徴とする録画装置。
【請求項２】
放送を受信する放送受信手段と、
この放送受信手段で受信されるかあるいは通信回線を介して供給される番組ごとの番組情報から今後放送される番組に対する番組表を作成し表示する処理手段と、
この処理手段により表示されている番組表から録画する番組を選択する選択手段と、
この選択手段により選択された番組の番組情報を録画予約情報として第１の記録媒体に記録する記録手段と、
この記録手段に記録された録画予約情報に基づく番組が上記放送受信手段で受信された際に、この番組の放送内容を第２の記録媒体に記録する録画手段と、
上記選択手段により選択された番組と重複する上記第１の記録媒体に記録されている予約済みの番組を検索し、選択された番組と重複する予約済みの番組との一覧表を表示する表示手段と、
この一覧表の表示に基づいて、重複する予約の一方を解除する解除手段と、
を具備したことを特徴とする録画装置。
【請求項３】
上記番組情報が、放送局、開始日時、終了日時、タイトルにより構成されるものであることを特徴とする請求項１乃至２に記載の録画装置。
【請求項４】
放送を受信する放送受信手段と、
この放送受信手段で受信されるかあるいは通信回線を介して供給される番組ごとの番組情報から今後放送される番組に対する番組表を作成し表示する処理手段と、
この処理手段により表示されている番組表から録画する番組を選択する選択手段と、
この選択手段により選択された番組の番組情報を録画予約情報として第１の記録媒体に記録する記録手段と、
この記録手段に記録された録画予約情報に基づく番組が上記放送受信手段で受信された際に、この番組の放送内容を第２の記録媒体に記録する録画手段と、
上記選択手段により選択された番組と時間的に近接する上記第１の記録媒体に記録されている予約済みの番組を検索し、選択された番組と時間的に近接する予約済みの番組との一覧表を表示する表示手段と、
を具備したことを特徴とする録画装置。
【請求項５】
放送を受信する放送受信手段と、
この放送受信手段で受信されるかあるいは通信回線を介して供給される番組ごとの番組情報から今後放送される番組に対する番組表を作成し表示する処理手段と、
この処理手段により表示されている番組表から録画する番組を選択する選択手段と、
この選択手段により選択された番組の番組情報を録画予約情報として第１の記録媒体に記録する記録手段と、
この記録手段に記録された録画予約情報に基づく番組が上記放送受信手段で受信された際に、この番組の放送内容を第２の記録媒体に記録する録画手段と、
上記選択手段により選択された番組と重複する上記第１の記録媒体に記録されている予約済みの番組を検索し、選択された番組と時間的に近接する予約済みの番組との一覧表を表示する表示手段と、
この一覧表の表示に基づいて、選択された番組あるいは時間的に近接する予約済みの番組の予約を解除する解除手段と、
を具備したことを特徴とする録画装置。
【請求項６】
上記番組情報が、放送局、開始日時、終了日時、タイトルにより構成されるものであることを特徴とする請求項４乃至５に記載の録画装置。
【請求項７】
放送信号に付加された番組情報あるいは通信回線を介して供給される番組情報から番組表を作成して表示し、この番組表中の番組を指定することで録画予約を行う録画予約方法において、
上記指定した番組と既に予約済みの番組との重複がある際に、この重複内容を示す番組表を表示することを特徴とする録画予約方法。
【請求項８】
放送信号に付加された番組情報あるいは通信回線を介して供給される番組情報から番組表を作成して表示し、この番組表中の番組を指定することで録画予約を行う録画予約方法において、
上記指定した番組と既に予約済みの番組との時間的に近接する可能性がある際に、この近接内容を示す番組表を表示することを特徴とする録画予約方法。
【請求項９】
上記番組情報が、放送局、開始日時、終了日時、タイトルにより構成されるものであることを特徴とする請求項７乃至８に記載の録画予約方法。
【発明の詳細な説明】
【技術分野】
【０００１】
この発明は、放送番組の録画予約を行う録画装置及び録画予約方法に関する。
【背景技術】
【０００２】
周知のように、近年では、デジタル放送された番組を、例えばＤＶＤ（Digital Versatile Disk）やＨＤＤ（Hard Disk Drive）等の記録媒体にデジタル記録する録画再生装置が普及している。
【０００３】
この種の録画再生装置は、一般に、デジタル放送によって定期的に配信されるＥＰＧ（Electronic Program Guide）情報に基づいて、電子番組表を作成して表示し、その表示されている番組の選択により、所望の番組を録画予約する録画予約機能を搭載している。
【０００４】
この録画予約機能では、受信したＥＰＧ情報に基づいて、録画予約を要求する番組の放送日、放送開始時刻、放送終了時刻及び放送チャンネル等を含む録画予約情報を生成し、その録画予約情報を登録することによって録画予約を行っている。（特許文献１）
この場合、録画予約する際に、同じ時間帯に既に予約情報が記憶されているかにより予約の重複を判断している。この予約の重複を判断した際に警告画面を表示するようになっている。
【０００５】
このように、この予約の重複を判断した際に警告画面を表示するようになっている。この際、警告画面を表示するだけであり、重複状態を知ることができなかった。
【特許文献１】特開平１０−０２１６０１号公報
【発明の開示】
【発明が解決しようとする課題】
【０００６】
そこで、この発明は上記事情を考慮してなされたもので、電子番組表で録画予約を行いたい番組を選択した際に、すでに登録されている録画予約との重複関係を事前に一覧表示することができ、予約の重複による録画失敗を未然に防ぐことができる録画装置及び録画予約方法を提供することを目的とする。
【課題を解決するための手段】
【０００７】
この発明の録画装置は、放送を受信する放送受信手段と、この放送受信手段で受信されるかあるいは通信回線を介して供給される番組ごとの番組情報から今後放送される番組に対する番組表を作成し表示する処理手段と、この処理手段により表示されている番組表から録画する番組を選択する選択手段と、この選択手段により選択された番組の番組情報を録画予約情報として第１の記録媒体に記録する記録手段と、この記録手段に記録された録画予約情報に基づく番組が上記放送受信手段で受信された際に、この番組の放送内容を第２の記録媒体に記録する録画手段と、上記選択手段により選択された番組と重複する上記第１の記録媒体に記録されている予約済みの番組を検索し、選択された番組と重複する予約済みの番組との一覧表を表示する表示手段とから構成される。
【０００８】
また、この発明の録画装置は、放送を受信する放送受信手段と、この放送受信手段で受信されるかあるいは通信回線を介して供給される番組ごとの番組情報から今後放送される番組に対する番組表を作成し表示する処理手段と、この処理手段により表示されている番組表から録画する番組を選択する選択手段と、この選択手段により選択された番組の番組情報を録画予約情報として第１の記録媒体に記録する記録手段と、この記録手段に記録された録画予約情報に基づく番組が上記放送受信手段で受信された際に、この番組の放送内容を第２の記録媒体に記録する録画手段と、上記選択手段により選択された番組と時間的に近接する上記第１の記録媒体に記録されている予約済みの番組を検索し、選択された番組と時間的に近接する予約済みの番組との一覧表を表示する表示手段とから構成される。
【０００９】
また、この発明の録画予約方法は、放送信号に付加された番組情報あるいは通信回線を介して供給される番組情報から番組表を作成して表示し、この番組表中の番組を指定することで録画予約を行うものにおいて、上記指定した番組と既に予約済みの番組との重複がある際に、この重複内容を示す番組表を表示するものである。
【発明の効果】
【００１０】
以上詳述したようにこの発明によれば、電子番組表で録画予約を行いたい番組を選択した際に、すでに登録されている録画予約との重複関係を事前に一覧表示することができ、予約の重複による録画失敗を未然に防ぐことができる録画装置と録画予約方法を提供することができる。
【発明を実施するための最良の形態】
【００１１】
以下、この発明の実施の形態について、図面を参照して詳細に説明する。
【００１２】
図１は、この発明の実施の形態が適用される映像記録再生装置の構成の一例を示すブロック図である。
【００１３】
この映像記録再生装置は、受信アンテナ１０１からＴＶチューナ１０２を経て入力された映像信号と音声信号とを、それぞれビデオＡ／Ｄ変換器１０３、オーディオＡ／Ｄ変換器１０４にてデジタル信号に変換し、ＭＰＥＧエンコーダ１０５にてＭＰＥＧ符号化を行い、それをＤＶＤ−ＲＡＭドライブ１０６に挿入されたＤＶＤ−ＲＡＭメディア１０７、或いは本装置内に内蔵されたハードディスクドライブ１０８に保存する。
【００１４】
そしてＭＰＥＧデコーダ１０９ではこれらに保存されたデータを復号化し、ビデオＤ／Ａ変換器１１０、オーディオＤ／Ａ変換器１１１を経て外部のＴＶモニタ１１２、スピーカ１１３に出力する。これらの制御は本装置内のマイクロプロセッサ１１４にて行う。このマイクロプロセッサ１１４には、イーサネットコントローラ１１５、不揮発性メモリ１１７、タイマ部１１８、リモコン受光部１１９が接続されている。
【００１５】
不揮発性メモリ１１７は、放送局ごとの標準のロゴマークのビットマップデータが予め登録されている。
【００１６】
また本装置にはイーサネットコントローラ１１５が装備されており、外部のネットワークルータ１１６を経由してインターネット上のＥＰＧサーバ１２０と通信を行うことが可能である。
【００１７】
本装置では、ＥＰＧサーバ１２０からインターネット経由で電子番組表のデータを受信し、ＴＶモニタ１１２上に電子番組表を表示する機能を有している。また、本装置は不揮発性メモリ１１７を備えており、予約録画のための予約情報を記憶する予約情報テーブル１１７ａと、所望の番組に対する近接する予約録画番組が登録される近接予約一覧テーブル１１７ｂを有している。
【００１８】
予約情報テーブル１１７ａ、近接予約一覧テーブル１１７ｂには、録画開始日、チャンネル，開始時間，終了時間、延長の可能性の有無、タイトル等により１つの予約番組ごとの設定内容が記憶される。
さらに、タイマ部１１８は、録画予約機能における現在の時刻情報及び時間経過の測定情報等を得るために機能する。また、リモコン受光部１１９は、前記リモートコントローラＲからワイヤレスで送信される操作情報を受信する機能を有する。
【００１９】
図２に、本装置上にて表示される電子番組表の例を示す。
【００２０】
本電子番組表は、インターネット上のＥＰＧサーバ１２０からイーサネットコントローラ１１５を経由して受信した電子番組表のデータ（番組ごとの番組情報により生成）を図２の形状で表示したものである。上記番組情報が、放送局（局コード）、開始日時、終了日時、タイトルにより構成されるものである。ＥＰＧサーバ１２０から受信した番組情報により生成する電子番組表データは、ハードディスクドライブ１０８によりハードディスク１０８ａに保存され、ユーザ操作により番組表を表示する際に都度番組表データを読み込んで表示を行う。
【００２１】
電子番組表上ではカーソル２０１をリモートコントローラＲを用いて移動することができ、目的の番組上で「決定」ボタンを押下すると、その番組を録画予約に登録することができる。このとき、目的の番組上でリモートコントローラＲの「メニュー」ボタンを押下すると、この番組に関する操作を選択できるメニューが表示される。このメニューの中の「近接予約一覧」という項目を選択すると、その番組に近接した本装置に登録済みの録画予約の一覧が表示される画面に遷移する。
【００２２】
図３に、近接予約一覧画面の例を示す。近接予約一覧画面では、本装置にすでに設定された予約録画の中で、図２で選択された番組に近接する予約録画番組３０１などを検索し、図３の形式で表示するものである。
【００２３】
この画面でその番組を録画予約する前に、予約の重複が発生するかを確認することができる。
【００２４】
図４に、近接予約一覧画面を表示する際の、近接する録画予約一覧をマイクロプロセッサ１１４の制御のもとに、検索するフローチャートを示す。
【００２５】
ある番組が選択され、この番組の近接予約一覧画面を表示する際に、まず本装置に登録されている録画予約全件に対して（ＳＴ１、２）、録画予約の終了時刻が該番組の開始時刻より前であるか（ＳＴ３）、録画予約の開始時刻が該番組の終了時刻よりも後ろであるかを判断し（ＳＴ４）、どちらにも該当しない場合はこの録画予約は該番組と重なっているという判定を行い、近接予約一覧テーブル１１７ｂに保存する（ＳＴ５）。
【００２６】
すべての録画予約に対する判定が終了した場合（ＳＴ２）、近接予約一覧テーブル１１７ｂに保存された番組一覧を画面上に表示する。
【００２７】
この近接予約の一覧画面に基づいて、重なっている録画予約の一方を解除する。
【００２８】
また該番組と録画予約の近接判定処理では、重なっているときのみを判定するだけでなく、例えば３０分程度のマージンを設けて、録画予約と該番組との時間差が３０分以内であるときも、近接予約と判定するようにしても良い。この判定により、この判定結果を近接予約一覧テーブル１１７ｂに保存してもよい。
【００２９】
例えば、図２の全チャンネルの一覧画面において、「７３１チャンネルの２３時００分から２３時２５分、チーボーですよ」が選択され、メニューにより「近接予約一覧」が選択された場合に、２３時からのＮ響サワー、２２時５０分に終了するトレビアンな泉、２３時３０分からのきょうの出来が近接予約の一覧として図３のように、画面表示される。
上記例では、近接予約の一覧画面を表示する際に、録画予約を行った順番となっているが、これに限らず、上から開始時間の早いもの順、遅いもの順に並び換えて表示するようにしても良い。
【００３０】
上記したように、電子番組表で録画予約を行いたい番組を選択した際に、すでに登録されている録画予約との重複関係を事前に一覧表示するようにしたものである。
【００３１】
これにより、電子番組表で録画予約を行いたい番組を選択した際に、すでに登録されている録画予約との重複関係を事前に一覧表示することができ、予約の重複による録画失敗を未然に防ぐことが可能になる。
【図面の簡単な説明】
【００３２】
【図１】この発明の実施の形態を示すもので、ビデオレコーダの概略を説明するために示すブロック構成図。
【図２】電子番組表の表示例を示す図。
【図３】近接予約一覧画面の表示例を示す図。
【図４】近接予約一覧の検索処理を説明するために示すフローチャート。
【符号の説明】
【００３３】
１０１…受信アンテナ、１０２…ＴＶチューナ、１０８…ＨＤＤ、１０８ａ…ハードディスク、１１２…ＴＶモニタ、１１４…マイクロプロセッサ、１１５…イーサネットコントローラ、１１６…ネットワークルータ、１１７…不揮発性メモリ、１１７ａ…予約情報テーブル、１１７ｂ…近接予約一覧テーブル、１１８…タイマ部、１２０…ＥＰＧサーバ。
【図１】
2005142761.tif 000003
【図２】
2005142761.tif 000004
【図３】
2005142761.tif 000005
【図４】
2005142761.tif 000006